(57)【特許請求の範囲】
【請求項１】
パスワードを入力可能な操作部と、
ユーザとの距離を測定する測距部と、
所定機能に対して制限を行う機能制限部と、
前記機能制限部により前記所定機能に対して制限が行われている状態において、前記操作部に対して予め定められたパスワード入力が行われると共に、前記測距部により測定された前記ユーザとの距離が所定範囲内である場合、前記機能制限部による前記所定機能に対する制限を解除する機能制限解除部と、
パスワード入力用画像を表示可能な表示部と、
前記表示部に表示される前記パスワード入力用画像の視認性を調整可能な視認性調整部と、を備え、
前記機能制限解除部は、前記操作部に対してパスワード入力が行われる際、前記視認性調整部に対して前記表示部に表示される前記パスワード入力用画像の視認性を低下させる調整をするよう指示する携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機として、悪意ある他人を含む第３者による特定機能（例えば、通信機能）の使用を制限するために、パスワードによる認証機能を利用して特定機能を制限する携帯電話機が存在する。
例えば、キーボード及び所定の暗証番号を記憶する記憶部を備え、キーボードに入力した番号と記憶部に記憶された暗証番号とが一致した場合のみ通信が開始される携帯電話機が提案されている（例えば、特許文献１参照）。
【先行技術文献】
【特許文献】
【０００３】
【特許文献１】特開２００１−３２０４７２号公報
【発明の概要】
【発明が解決しようとする課題】
【０００４】
しかし、特許文献１の携帯電話機において、一度、第３者にパスワードが知られてしまうと、以降、該第３者によって確実に機能制限が解除されてしまうという問題があった。
【０００５】
本発明は、機能制限における確実性を向上させた携帯電子機器を提供することを目的とする。
【課題を解決するための手段】
【０００６】
本発明は、パスワードを入力可能な操作部と、ユーザとの距離を測定する測距部と、所定機能に対して制限を行う機能制限部と、前記機能制限部により前記所定機能に対して制限が行われている状態において、前記操作部に対して予め定められたパスワード入力が行われると共に、前記測距部により測定された前記ユーザとの距離が所定範囲内である場合、前記機能制限部による前記所定機能に対する制限を解除する機能制限解除部と、パスワード入力用画像を表示可能な表示部と、前記表示部に表示される前記パスワード入力用画像の視認性を調整可能な視認性調整部と、を備え、前記機能制限解除部は、前記操作部に対してパスワード入力が行われる際、前記視認性調整部に対して前記表示部に表示される前記パスワード入力用画像の視認性を低下させる調整をするよう指示する携帯電子機器に関する。
【０００７】
また、前記操作部から入力された前記パスワードを予め定められたパスワードとして登録するパスワード登録部と、前記操作部に対して前記パスワード登録部に前記パスワードを登録するための入力操作が行われている際に前記測距部により測定された前記離間距離を前記所定距離として登録する所定距離登録部と、を備えることが好ましい。
【０００８】
また、前記測距部は、前記操作部に対して入力操作が行われている際、前記離間距離を測定することが好ましい。
【０００９】
また、前記測距部は、前記操作部と同じ側を向いて配置される撮像部と、前記撮像部により撮像された撮像画像に基づいて、前記離間距離を算出する算出部と、を備えることが好ましい。
【００１０】
また、前記撮像部により撮像された撮像画像に顔画像が含まれるか否かを判定する顔認識部と、を備え、前記算出部は、前記顔認識部により前記撮像画像に前記顔画像が含まれると判定された場合、前記顔画像に基づいて前記離間距離を算出することが好ましい。
【００１１】
また、正規ユーザの顔画像である基準顔画像を記憶する基準顔画像記憶部と、前記顔認識部により認識された前記顔画像と、前記基準顔画像記憶部に記憶される前記基準顔画像とを比較することにより、前記顔認識部により認識された前記顔画像のユーザが正規ユーザと同一人物であるかを判定するユーザ判定部と、を備え、前記機能制限解除部は、更に、ユーザ判定部により前記顔認識部により認識された前記顔画像のユーザが正規ユーザと同一人物であると判定された場合、前記機能制限部による前記所定機能に対する制限を解除することが好ましい。
【発明の効果】
【００１３】
本発明によれば、機能制限における確実性を向上させた携帯電子機器を提供することができる。
【図面の簡単な説明】
【００１４】
【図１】携帯電話機１を開いた状態における外観斜視図を示す。
【図２】携帯電話機１における回路構成を説明するブロック図である。
【図３】携帯電話機１における機能部の構成を説明するブロック図である。
【図４】携帯電話機における動作を説明する基本フロー図である。
【図５】携帯電話機における動作であって、正規ユーザ用処理について説明するフロー図である。
【図６】携帯電話機における動作であって、非正規ユーザ用処理について説明するフロー図である。
【図７Ａ】正規ユーザがパスワードを入力する動作を説明する図である。
【図７Ｂ】非正規ユーザがパスワードを入力する動作を説明する図である。
【発明を実施するための形態】
【００１５】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１６】
図１に示すように、携帯電話機１は、操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とに変形可能に構成される。ここで、閉状態とは、両筐体が互いに重なるように配置された状態であり、開状態とは、両筐体が互いに重ならないように配置された状態をいう。
【００１７】
操作部側筐体２は、外面がフロントケース２ａとリアケース２ｂとにより構成される。操作部側筐体２は、フロントケース２ａ側において、外部に露出するように配置される操作部１０１を構成する操作キー群１１と、マイク１２とを有する。
【００１８】
操作部１０１は、ユーザによる入力操作が行われると共にパスワード（予め定められたパスワードを含む所定のパスワード）を入力可能な部分である。操作部１０１は、操作キー群１１を含んで構成される。
【００１９】
操作キー群１１は、操作部側筐体２における該携帯電話機１が閉状態になった場合に内側に配置される面である内面２Ａ側に配置される。操作キー群１１は、ユーザからの入力操作（各キーの押圧操作）を受け付ける。
【００２０】
操作キー群１１は、機能設定操作キー１３と、入力操作キー１４と、決定操作キー１５とを有する。
操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、ユーザが各キーを押圧することにより、各キーに割り当てられている機能に応じた動作が実行される。
【００２１】
機能設定操作キー１３は、各種設定や電話帳機能やメール機能等の各種機能を作動させるためのキーである。
入力操作キー１４は、電話番号の数字やメール等の文字等を入力するためのキーである。入力操作キー１４には、主に、数字、文字や記号がアサインされている。このため、ユーザは、主に、入力操作キー１４を入力操作（押圧操作）することで、パスワードの入力を行う。
決定操作キー１５は、各種操作における決定や後述する表示部２１に表示される画像を上下左右方向にスクロール（移動）させるためのキーである。
【００２２】
マイク１２は、操作部側筐体２の長手方向における連結部４側と反対の外端部側に配置される。マイク１２は、携帯電話機１が開状態において一方の外端部側に配置される。マイク１２は、携帯電話機１が開状態である場合においてユーザの口の近くに配置される。マイク１２は、ユーザが通話時に発した音声が入力される部分である。
【００２３】
また、操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２４】
表示部側筐体３は、外面がフロントケース３ａと、リアケース３ｄとにより構成される。
表示部側筐体３は、フロントケース３ｂにおいて、外部に露出するように配置される表示部２１と、スピーカ２２と、カメラ部２９とを備える。
【００２５】
表示部２１は、液晶パネルと、液晶パネルを駆動する駆動回路と、液晶パネルの背面側から光を照射するバックライト等の光源部とを有して構成される。
表示部２１は、各種情報を表示する。表示部２１は、例えば、パスワード入力用画像を表示する。表示部２１は、ユーザが操作部１０１（操作キー群１１）に対して所定の入力操作を行う際に視認される部分である。
【００２６】
スピーカ２２は、表示部側筐体３の長手方向における連結部４側と反対の外端部側に配置される。スピーカ２２は、携帯電話機１が開状態においてマイク１２と反対側の外端部側に配置される。スピーカ２２は、携帯電話機１が開状態である場合にユーザの耳の近くに配置される。マイク１２は、通話音声が出力される部分である。
【００２７】
カメラ部２９（撮像部、測距部）は、表示部側筐体３に配置される。カメラ部２９は、表示部側筐体３における該携帯電話機１が閉状態になった場合に内側に配置される面である内面３Ａ側に配置される。
カメラ部２９は、携帯電話機１が開状態において、操作部１０１（操作キー群１１）と同じ側を向くように配置される。つまり、カメラ部２９は、ユーザが入力操作（例えば、パスワード入力操作）を行っている状態において、操作部１０１（操作キー群１１）と共にユーザ側を向むくよう配置される。
カメラ部２９は、例えば、操作部１０１（操作キー群１１）に対して入力操作がなされている際、画像（ユーザの画像、特にユーザの顔画像）を撮像する。
【００２８】
続けて、図２により、携帯電話機１の回路構成について説明する。
図２は、携帯電話機１における回路構成を説明するブロック図である。
図２に示すように、携帯電話機１は、操作部側筐体２に配置される無線通信部２００と、操作部１０１と、マイク１２と、表示制御部４２と、音声処理部４３と、メモリ４４と、ＣＰＵ４５と、電源部４６と、制御ＩＣ４７と、表示部側筐体３に配置される表示部２１と、スピーカ２２と、ドライバＩＣ２５と、カメラ部２９とを備える。
【００２９】
無線通信部２００は、所定の使用周波数帯により外部装置と通信を行うメインアンテナ部９０と、変調処理又は復調処理等の信号処理を行う通信処理部２０１と、を備える。
【００３０】
メインアンテナ部９０は、所定の使用周波数帯（例えば、８００ＭＨｚ）で不図示の基地局と通信を行う。メインアンテナ部９０は、所定の使用周波数帯で基地局を介して外部の通信機器と通信を行う。なお、本実施形態では、所定の使用周波数帯として、８００ＭＨｚとしたが、他の周波数帯であってもよい。また、メインアンテナ部９０は、所定の使用周波数帯（第１使用周波数帯）のほかに、第２使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００３１】
通信処理部２０１は、所定の機能部から供給された信号を変調処理しメインアンテナ部９０等を介して基地局に送信すると共に、メインアンテナ部９０により受信された信号を復調処理し所定の機能部に供給する。
【００３２】
操作部１０１（操作キー群１１）における構成等は、上述の通りである。操作部１０１（操作キー群１１）は、入力操作に関する情報をＣＰＵ４５に出力する。
【００３３】
表示制御部４２は、ＣＰＵ４５の制御にしたがって、入力された画像データに対して所定の画像処理を行うと共に、画像処理された画像データをドライバＩＣ２５に出力する。ドライバＩＣ２５は、表示制御部４２から入力された画像データをフレームメモリに蓄えると共に、該フレームメモリに蓄えられた画像データを所定のタイミングで表示部２１に出力する。
【００３４】
表示部２１は、ドライバＩＣ２５から入力されたデータに基づいて、所定の文字や画像を表示する。表示部２１は、所定の機能に対応する画像を表示する。また、表示部２１は、上述の通り、パスワード入力用画像を表示可能に構成される。また、表示部２１は、視認性が調整された態様でパスワード入力用画像を表示することができる。ここで、視認性の調整については、後に詳述する。
【００３５】
メモリ４４は、所定のデータを記憶する。具体的には、メモリ４４は、各種機能を動作させるアプリケーションプログラムや、後述する所定距離（所定離間距離）データや、パスワード（予め定められたパスワードである所定パスワード）データや、基準顔画像データ等を記憶する。メモリ４４については、後に詳述する。
【００３６】
ＣＰＵ４５は、携帯電話機１の全体を制御する。ＣＰＵ４５は、特に、無線通信部２００と、表示制御部４２と、音声処理部４３に対して所定の制御を行う。また、ＣＰＵ４５は、後述する能部としての機能制限部３１０と、パスワード登録部３２０と、機能制限解除部３３０と、所定距離登録部３４０と、顔認識部３５０と、ユーザ判定部３６０と、算出部３７０と、視認性調整部３８０とを含む。ＣＰＵ４５における機能部については、後に詳述する。
【００３７】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をメインアンテナ部９０に出力する。
【００３８】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３９】
カメラ部２９は、撮像素子（例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を有して構成される。カメラ部２９は、被写体（例えば、ユーザ）の画像を撮像する。カメラ部２９は、撮像画像に関する撮像画像データをＣＰＵ４５に出力する。
ここで、カメラ部２９における動作や撮像画像（撮像画像データ）の処理は、後に詳述する。
【００４０】
続けて、図３により、携帯電話機１における機能部について説明する。
図３は、携帯電話機における機能ブロック図である。
図３に示すように、携帯電話機１は、無線通信部２００と、操作部１０１と、カメラ部２９と、表示部２１と、表示制御部４２と、ＣＰＵ４５と、メモリ４４とを備える。
【００４１】
無線通信部２００の構成等は、上述の通りである。
操作部１０１は、上述の通り、ユーザによる入力操作が行われると共に所定パスワードを入力可能に構成される。
操作部１０１（操作キー群１１）は、後述するパスワード登録部３２０からの要求により、パスワード（予め定められたパスワード、登録パスワード、正規ユーザのパスワード）を入力することが可能に構成される。
【００４２】
また、操作部１０１（操作キー群１１）は、後述する機能制限解除部３３０からの要求により、後述する機能制限部３１０による所定機能に対する所定の制限を解除するためのパスワード（予め定められたパスワード、登録パスワード、正規ユーザのパスワード）を入力可能に構成される。
ここで、ユーザは、表示部２１に表示されたパスワード入力用画像を視認しながらキー操作群を構成する数字や文字がアサインされたキーを押下操作することで、パスワードを入力する。
【００４３】
カメラ部２９（撮像部）における構成等は、上述の通りである。
カメラ部２９は、操作部１０１（操作キー群１１）に対して入力操作が行われている際、ユーザの画像を撮像する。カメラ部２９は、撮像画像に関する撮像画像データを後述する顔認識部３５０、ユーザ判定部３６０や算出部３７０に直接又は間接的に出力する。
【００４４】
ここで、カメラ部２９（撮像部）は、後述する算出部３７０と共に測距部を構成する。
測距部は、ユーザとの距離である離間距離を測定する。測距部は、操作部１０１（操作キー群１１）に対して入力操作が行われている際、離間距離を測定する。本実施形態において、測距部は、カメラ部２９により撮像された撮像画像に基づいて、離間距離を測定する。本実施形態における測距部は、後述する顔認識部３５０により撮像画像に顔画像が含まれると判定された場合、顔画像に基づいて離間距離を算出する。
なお、測定は、カメラ部２９がＡＦ機能（Ａｕｔｏ  Ｆｏｃｕｓ機能）を有している場合には、カメラ部２９による合焦の際のレンズ移動に基づいて行われてもよい。
【００４５】
表示部２１は、実行されるアプリケーションに応じた画像を表示する。
上述の通り、表示部２１は、機能制限解除部３３０からの指示によりパスワード入力用画像を表示可能に構成される。
【００４６】
ここで、表示部２１は、パスワード入力用画像を視認性が低下された状態で表示することが可能である。具体的には、表示部２１は、視認性調整部３８０からの指示に基づいて、（表示制御部４２を介して）パスワード入力用画像を視認性が低下された態様で表示させることができる。
視認性が低下された態様とは、パスワード入力用画像の色を薄くした態様（ある程度透過率をもたせて表示（うっすら見える））、フォントを小さくした態様、背景色と同系色にする態様、入力済みの部分を「＊」等で表示せず何も表示しない態様、全体が見難くなるようマスキング処理した態様等である。
また、ここで、表示部２１において視認性を低下させる表示を行うことは、非正規ユーザが操作部１０１に対してパスワードを入力操作している場合において、該非正規ユーザが表示部２１に近づくことを誘引する。
【００４７】
表示制御部４２における構成等は、上述の通りである。
また、表示制御部４２は、機能制限解除部３３０からの指示に基づいて、パスワード入力用画像の視認性を低下させるよう表示部２１を制御可能に構成される。
【００４８】
ＣＰＵ４５は、携帯電話機１の全体を制御する。また、ＣＰＵ４５は、機能部としての機能制限部３１０と、パスワード登録部３２０と、機能制限解除部３３０と、所定距離登録部３４０と、顔認識部３５０と、ユーザ判定部３６０と、算出部３７０と、視認性調整部３８０とを含む。
【００４９】
機能制限部３１０は、所定機能に対して所定の制限を行う。機能制限部３１０は、通話機能、メール機能、アドレス帳機能といった携帯電話機１が備える所定の機能の使用を制限（禁止）する。例えば、機能制限部３１０は、通話機能に対して受発信を制限する。また、例えば、機能制限部３１０は、アドレス帳機能に対して内部に格納された情報を出力すること（表示させること）を制限する。
【００５０】
ここで、機能制限部３１０による機能の使用の制限は、後述するパスワード記憶部４１０に記憶された所定パスワード（予め定められたパスワード）が操作部１０１（操作キー群１１）から入力されることにより解除される（機能制限解除部３３０により解除される）。
【００５１】
パスワード登録部３２０は、操作部１０１（操作キー群１１）から入力された所定パスワードを予め定められたパスワード（所定パスワード、登録パスワード、正規パスワード）として登録する。パスワード登録部３２０は、機能制限部３１０により制限された所定の機能の使用制限を解除するための所定パスワードを登録する。パスワード登録部３２０は、（正規）ユーザが任意に設定した特定の文字列を所定パスワードとして登録する。
【００５２】
ここで、（所定）パスワードとは、（正規）ユーザが任意に設定（入力）した複数の数字及び／又は英字等から構成される文字列の他、ユーザが任意に設定（入力）した複数の数字から構成される暗証番号を含む。
パスワード登録部３２０により登録された所定パスワード（予め定められたパスワード）は、後述するパスワード記憶部４１０に記憶される。
【００５３】
機能制限解除部３３０は、所定の条件に基づいて、機能制限部３１０による所定機能に対する所定の制限を解除する。
具体的には、機能制限解除部３３０は、機能制限部３１０により記所定機能において所定の制限が行われている状態において、操作部１０１（操作キー群１１）に対して予め定められたパスワード（所定パスワード）の入力が行われると共に、測距部（カメラ部２９、算出部３７０）により測定された離間距離が予め定められた所定距離（所定離間距離）を中心に所定範囲内である場合、機能制限部３１０による所定機能に対する所定の制限を解除する。
【００５４】
詳細には、機能制限解除部３３０は、測距部（カメラ部２９、算出部３７０）により測定された離間距離が予め定められた所定距離を中心に所定範囲内である場合、操作部１０１から入力されたパスワードが所定パスワードと一致するか判定する。そして、機能制限解除部３３０は、操作部１０１から入力されたパスワードが所定パスワードと一致すると判定した場合、機能制限部３１０による所定機能に対する所定の制限を解除する。
【００５５】
また、機能制限解除部３３０は、測距部（カメラ部２９、算出部３７０）により測定された離間距離が予め定められた所定距離を中心に所定範囲内にない場合、操作部１０１から入力されたパスワードが所定パスワードと一致するか判定することなく、機能制限部３１０による所定機能に対する所定の制限を解除しない。
【００５６】
ここで、図３において図示していないが、ＣＰＵ４５は、更に、管理者通知処理部３９０を有していてもよい。管理者通知処理部３９０は、機能制限解除部３３０が測距部（カメラ部２９、算出部３７０）により測定された離間距離が予め定められた所定距離を中心に所定範囲内にないと判定した時点で、所定の通知先（電話番号、電子メールアドレス等）に所定の通知処理を行う。管理者通知処理部３９０は、非正規ユーザが所定機能の機能制限の解除を行おうとしていることを所定の通知先に自動的に通知する。
【００５７】
所定範囲内とは、測定された離間距離が予め定められた所定距離が実質的に一致するといえる範囲内であることが好ましい。所定範囲は、ユーザ等が適宜設定できる。
また、所定距離は、例えば、所定距離登録部３４０により登録される。
【００５８】
機能制限解除部３３０は、操作部１０１（操作キー群１１）からパスワードが入力される際、後述する視認性調整部３８０に対して表示部２１に表示されるパスワード入力用画像の視認性を低下させる調整をするよう指示する。
機能制限解除部３３０は、操作部１０１（操作キー群１１）からパスワードが入力される際、表示部２１に表示されるパスワード入力用画像の視認性を低下させることで、非正規ユーザが表示部２１に近づくことを誘引させる。
つまり、機能制限解除部３３０は、表示部２１においてパスワード入力用画像の視認性が低下した場合、正規ユーザであれば距離は一定であるが、非正規ユーザであれば離間距離が通常より近くなる（短くなる）ことを利用して、機能制限における確実性を向上させている。
【００５９】
機能制限解除部３３０は、更に、後述するユーザ判定部３６０により顔認識部３５０により認識された顔画像のユーザが正規ユーザと同一人物であると判定された場合、機能制限部３１０による所定機能に対する所定の制限を解除する。
【００６０】
所定距離登録部３４０は、操作部１０１（操作キー群１１）に対してパスワード登録部３２０に所定パスワードを登録するための入力操作が行われている際に測距部（カメラ部２９、算出部３７０）により測定された離間距離を所定距離として登録する。
所定距離登録部３４０により登録された所定距離は、後述する所定距離記憶部４２０に記憶される。
【００６１】
顔認識部３５０は、カメラ部２９により撮像された撮像画像に顔画像が含まれるか否かを判定する。顔認識部３５０は、撮像画像を解析して顔画像を認識できた場合、撮像画像に顔画像が含まれると判定する。
顔認識部３５０により認識された顔画像に関する画像データは、ユーザ判定部３６０や算出部３７０に出力される。
【００６２】
ユーザ判定部３６０は、顔認識部３５０により認識された顔画像と、後述する基準顔画像記憶部４３０に記憶される基準顔画像とを比較することによって、顔認識部３５０により認識された顔画像のユーザが正規ユーザと同一人物であるかを判定する。
詳細には、ユーザ判定部３６０は、操作部１０１（操作キー群１１）に対してパスワード入力操作を行ったユーザの撮像画像から顔認識部３５０により認識された顔画像と、正規ユーザの顔画像である基準顔画像とを比較する。そして、ユーザ判定部３６０は、パスワード入力操作を行ったユーザが正規ユーザと同一人物であるかを顔画像の比較により判定する。
【００６３】
例えば、ユーザ判定部３６０は、顔認識部３５０により認識された顔画像が基準顔画像記憶部４３０に記憶される基準顔画像と完全一致又は所定の割合以上で部分一致する場合、顔認識部３５０により認識された顔画像のユーザが正規ユーザと同一人物であると判定し、不一致又は所定の割合未満で部分一致する場合、顔認識部３５０により認識された顔画像のユーザが正規ユーザと同一人物ではないと判定する。
【００６４】
算出部３７０（測距部）は、同様に測距部を構成するカメラ部２９により撮像された撮像画像に基づいて、離間距離を算出する。算出部３７０は、撮像画像を解析して、例えば、ピントのズレ度合い等から離間距離を算出する。
ここで、算出部３７０は、顔認識部３５０により撮像画像に顔画像が含まれると判定された場合、顔認識部３５０に認識された顔画像に基づいて離間距離を算出する。
【００６５】
視認性調整部３８０は、表示部２１に表示されるパスワード入力用画像の視認性を調整可能に構成される。
視認性調整部３８０は、表示制御部４２に対して所定の指示をすることで、表示部２１に表示されるパスワード入力用画像の視認性を調整（低下）させることできる。
視認性調整部３８０は、機能制限解除部３３０からパスワード入力用画像の視認性を低下させる調整をする指示を受けた場合、表示制御部４２に対して所定の指示をする。これにより、視認性調整部３８０は、表示部２１に表示されるパスワード入力用画像の視認性を調整（低下）させる。
【００６６】
ここで、視認性を低下させる態様とは、上述の通り、パスワード入力用画像の色を薄くした態様（ある程度透過率をもたせて表示（うっすら見える））、フォントを小さくした態様、背景色と同系色にする態様、入力済みの部分を「＊」等で表示せず何も表示しない態様、全体が見難くなるようマスキング処理した態様等である。
視認性調整部３８０は、表示画像データを所定処理することや、表示制御部４２を介して表示部２１を構成するＬＣＤ部材におけるバックライト等を調整することで、表示部２１におけるパスワード入力用画像の視認性を低下させる。
【００６７】
管理者通知処理部３９０は、携帯電話機１を管理する所定の通信機器（例えば、ユーザによって予め登録されたパーソナルコンピュータや、他の携帯電話機）の通知先（電話番号、電子メールアドレス等）に対して、所定の情報を、無線通信部２００を介して送信する構成を有する。具体的には、ユーザ判定部３６０によって、携帯電話機１を使用しようとしているユーザが非正規ユーザであると判定された場合、管理者通知処理部３９０は、非正規ユーザに携帯電話機１が使用されようとしている旨を、前述した携帯電話機１を管理する通信機器に送信する。
【００６８】
メモリ４４は、複数のアプリケーションプログラムを記憶する。
また、メモリ４４は、パスワード記憶部４１０と、所定距離記憶部４２０と、基準顔画像記憶部４３０とを含む。
【００６９】
パスワード記憶部４１０は、予め定められたパスワードとしての所定パスワードを記憶する。パスワード記憶部４１０は、機能制限部３１０により制限された所定の機能の使用制限を解除するための所定パスワードを記憶する。
パスワード記憶部４１０は、正規ユーザが操作部１０１（操作キー群１１）を介して入力し、パスワード登録部３２０により登録された所定パスワードを記憶する。
【００７０】
所定距離記憶部４２０は、所定距離を記憶する。所定距離記憶部４２０は、所定距離登録部３４０により登録された所定距離を記憶する。所定距離記憶部４２０に記憶される所定距離は、機能制限解除部３３０に参照される。
【００７１】
基準顔画像記憶部４３０は、正規ユーザの顔画像である基準顔画像を記憶する。基準顔画像記憶部４３０に記憶される正規ユーザの顔画像である基準顔画像は、ユーザ判定部３６０に参照される。
【００７２】
続けて、図４から図７Ｂにより、携帯電話機１の動作について説明する。
図４は、携帯電話機における動作を説明する基本フロー図である。図５は、携帯電話機における動作であって、正規ユーザ用処理について説明するフロー図である。図６は、携帯電話機における動作であって、非正規ユーザ用処理について説明するフロー図である。図７Ａは、正規ユーザがパスワードを入力する動作を説明する図である。図７Ｂは、非正規ユーザがパスワードを入力する動作を説明する図である。
【００７３】
図４、図７Ａ及び図７Ｂにより、携帯電話機１における基本的な動作を説明する。
まず、ユーザは、機能制限部３１０により使用が制限された所定機能（例えば、通話機能）を選択する。
この場合において、表示部２１には、パスワード入力用画像（例えば、入力用ボックス）が表示される。
【００７４】
次いで、ステップＳＴ１において、ユーザが使用制限された所定機能の制限解除のため操作部１０１（操作キー群１１）に対してパスワード入力操作を所定時間内に開始した場合（ＳＴ１、ＹＥＳ）、処理は、ステップＳＴ２に進む。
また、ステップＳＴ１において、ユーザが使用制限された所定機能の制限解除のため操作部１０１（操作キー群１１）に対してパスワード入力操作を所定時間内に開始しない場合（ＳＴ１、ＮＯ）、処理は、終了となる。
【００７５】
続けて、ステップＳＴ２において、測距部（カメラ部２９、算出部３７０）は、測距処理を開始する。具体的には、カメラ部２９は、ユーザ画像を撮像する。そして、算出部３７０は、顔認識部３５０により認識された顔画像に基づいて、離間距離を算出する。測距部（カメラ部２９、算出部３７０）は、操作部１０１（操作キー群１１）に対するパスワード入力操作が完了するまで継続的に離間距離を測定（算出）する。
【００７６】
続けて、ステップＳＴ３において、機能制限解除部３３０は、操作部１０１（操作キー群１１）からパスワードが入力される際、視認性調整部３８０に対して表示部２１に表示されるパスワード入力用画像の視認性を低下させる調整をするよう指示する。つまり、機能制限解除部３３０は、操作部１０１（操作キー群１１）からパスワードが入力される際、表示部２１に表示されるパスワード入力用画像の視認性を低下させることで、非正規ユーザが表示部２１に近づくことを誘引させる。
【００７７】
続けて、ステップＳＴ４において、機能制限解除部３３０は、測距部（カメラ部２９、算出部３７０）からの離間距離情報に基づいて、離間距離が所定距離記憶部４２０に記憶される所定距離と所定範囲の距離であるかを判定する。
機能制限解除部３３０により離間距離が所定距離と所定範囲の距離であると判定された場合（ＳＴ４、ＹＥＳ）、処理は、ステップＳＴ５に進み、正規ユーザ用処理となる。例えば、図７Ａに示すように、ユーザと携帯電話機１との離間距離が所定距離から所定範囲内の距離である距離ＬＩである場合、処理は、正規ユーザ用処理に進む。
【００７８】
また、機能制限解除部３３０により離間距離が所定距離と所定範囲の距離ではないと判定された場合（ＳＴ４、ＮＯ）、処理は、ステップＳＴ６に進み、非正規ユーザ用処理となる。例えば、図７Ｂに示すように、表示部２１に表示されるパスワード入力用画像の視認性が低下されたことにより、（非正規）ユーザが表示部２１に近づいた場合、ユーザと携帯電話機１との離間距離Ｌ２が所定距離よりも大幅に近くなる（所定範囲外の距離になる）。この場合、処理は、非正規ユーザ用処理に進む。
【００７９】
そして、ステップＳＴ５における正規ユーザ処理が完了すると、処理は終了となる。また、ステップＳＴ６における非正規ユーザ処理が完了すると、処理は終了となる。
【００８０】
続けて、図５により、携帯電話機１における正規ユーザ用処理について説明する。
まず、ステップＳＴ１０１において、機能制限解除部３３０は、操作部１０１（操作キー群１１）により入力されたパスワードを受け付ける。
【００８１】
次いで、ステップＳＴ１０２において、機能制限解除部３３０は、操作部１０１から入力されたパスワードがパスワード記憶部４１０に記憶される所定パスワードと一致するか判定する。
機能制限解除部３３０が入力されたパスワードが所定パスワードと一致すると判定した場合、処理は、ステップＳＴ１０３に進む。
また、機能制限解除部３３０が入力されたパスワードが所定パスワードと一致しないと判定した場合、処理は、ステップＳＴ１０４に進む。
【００８２】
続けて、ステップＳＴ１０３において、機能制限解除部３３０は、機能制限部３１０による所定機能に対する所定の制限を解除する。そして、正規ユーザ用処理は、終了となり、図４の終了処理に進み、携帯電話機１の処理が終了となる。
また、ステップＳＴ１０４において、機能制限解除部３３０は、機能制限部３１０による所定機能に対する所定の制限を維持する（エラー処理する）。そして、正規ユーザ用処理は、終了となり、図４の終了処理に進み、携帯電話機１の処理が終了となる。
【００８３】
続けて、図６により、携帯電話機１における非正規ユーザ用処理について説明する。
まず、ステップＳＴ２０１において、機能制限解除部３３０は、管理者通知処理部３９０において、通知設定がなされているか確認する。
通知設定がなされている場合（ステップＳＴ２０１、ＹＥＳ）、処理は、ステップＳＴ２０２に進む。
また、通知設定がなされてない場合（ステップＳＴ２０１、ＮＯ）、処理は、ステップＳＴ２０３に進む。
【００８４】
ステップＳＴ２０２において、管理者通知処理部３９０は、所定の通知先（電話番号、電子メールアドレス等）に所定の通知処理を行う。例えば、管理者通知処理部３９０は、所定の電子メールアドレスを宛先とした電子メール送信処理を行う。そして、処理は、ステップＳＴ１０３に進む。
【００８５】
続けて、ステップＳＴ２０３において、機能制限解除部３３０は、操作部１０１（操作キー群１１）により入力されたパスワードを受け付ける。
そして、ステップＳＴ２０４において、機能制限解除部３３０は、操作部１０１から入力されたパスワードがパスワード記憶部４１０に記憶される所定パスワードと一致するか判定ことなく、機能制限部３１０による所定機能に対する所定の制限を維持する（エラー処理する）。そして、非正規ユーザ用処理は、終了となり、図４の終了処理に進み、携帯電話機１の処理が終了となる。
【００８６】
本実施形態によれば、携帯電話機１は、機能制限解除部３３０が機能制限部３１０により所定機能において所定の制限が行われている状態において、操作部１０１から入力されたパスワードが予め定められた所定パスワードであると共に、測距部（カメラ部２９、算出部３７０）により測定された離間距離が予め定められた所定距離を中心に所定範囲内である場合、機能制限部３１０による所定機能に対する所定の制限を解除するよう構成される。これにより、携帯電話機１は、機能制限における確実性が向上される。
【００８７】
また、本実施形態において、携帯電話機１は、所定距離登録部３４０が測距部（カメラ部２９、算出部３７０）により所定パスワードが操作部１０１（操作キー群１１）から入力されている際に測定された離間距離を所定距離として登録するよう構成される。これにより、携帯電話機１は、正規ユーザにおける自然な離間距離を自動的に所定距離として登録することができる。
【００８８】
また、本実施形態において、携帯電話機１は、測距部（カメラ部２９、算出部３７０）が操作部１０１（操作キー群１１）に対して入力操作が行われている際、離間距離を測定するよう構成される。これにより、携帯電話機１は、ユーザが操作部１０１（操作キー群１１）にパスワードを入力している際に自動的に離間距離を測定することができる。
【００８９】
また、本実施形態において、携帯電話機１は、カメラ部２８により撮像された撮像画像に基づいて、離間距離を測定（算出）する。また、携帯電話機１は、顔認識部３５０が撮像画像に顔画像が含まれていると認識した場合、顔画像に基づいて離間距離を測定（算出する）。これにより、携帯電話機１は、ユーザ（正規、非正規）が操作部１０１（操作キー群１１）パスワードを入力操作している場合のみ、測距するよう構成される。
また、携帯電話機１は、機能制限解除部３３０がユーザ判定部３６０により上記顔画像のユーザが正規ユーザと同一人物であると判定された場合に機能制限部３１０による所定機能に対する所定の制限を解除するよう構成される。これにより、携帯電話機１は、機能制限における確実性が更に向上される。
【００９０】
また、本実施形態において、携帯電話機１は、機能制限解除部３３０が操作部１０１（操作キー群１１）からパスワードが入力される際、視認性調整部３８０に対して表示部２１に表示されるパスワード入力用画像の視認性を低下させる調整をする指示をするよう構成される。これにより、携帯電話機１は、非正規ユーザに対して表示部２１に近づくことを誘引する。携帯電話機１は、表示部２１においてパスワード入力用画像の視認性が低下した場合、正規ユーザであれば距離は一定であるが、非正規ユーザであれば離間距離が通常より近くなる（短くなる）ことを利用して、機能制限における確実性を向上させている。
【００９１】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００９２】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００９３】
また、本実施形態において、操作部１０１（操作キー群１１）は操作部側筐体２側に配置されているが、これに限定されず、表示部側筐体３に配置されてもよい。また、操作部１０１は、操作キー群により構成されることに限定されず、例えば、表示部２１の表面に配置されるタッチパネルであってもよい。
【００９４】
また、本実施形態において、測距部は、カメラ部２９や算出部３７０により構成されるが、これに限定されず、例えば、光センサや赤外線センサ等の公知のセンサにより構成されていてもよい。
【００９５】
また、本実施形態において、所定距離は、所定距離登録部３４０により自動的に登録されるが、これに限定されず、例えば、ユーザが任意に設定してもよい。また、所定距離は、正規ユーザにおけるパスワード入力であると認識された場合における（測距した）離間距離に基づいて更新されるようにされてもよい。
【符号の説明】
【００９６】
１          携帯電話機
２          操作部側筐体
３          表示部側筐体
１１        操作キー群
２１        表示部
２９        カメラ部（測距部）
４１        表示制御部
４４        メモリ
４５        ＣＰＵ
１０１      操作部
２００      無線通信部
３１０      機能制限部
３２０      パスワード登録部
３３０      機能制限解除部
３４０      所定距離登録部
３５０      顔認識部
３６０      ユーザ判定部
３７０      算出部（測距部）
３８０      視認性調整部
３９０      管理者通理処理部
４１０      パスワード記憶部
４２０      所定距離記憶部
４３０      基準顔画像記憶部
【図１】
0005474629.tif 000002
【図２】
0005474629.tif 000003
【図３】
0005474629.tif 000004
【図４】
0005474629.tif 000005
【図５】
0005474629.tif 000006
【図６】
0005474629.tif 000007
【図７Ａ】
0005474629.tif 000008
【図７Ｂ】
0005474629.tif 000009